(57)【特許請求の範囲】
【請求項１】
充放電サイクルの初期段階とそれ以降の段階とでは異なる電気量により充電し、初期段階での放電電気量に対する充電電気量の割合を１．１５〜１．３０の範囲とし、初期段階以降の段階での放電電気量に対する充電電気量の割合を１．００〜１．１５の範囲とする鉛蓄電池の充電方法。
【請求項２】
充放電サイクルの初期段階は５〜２００サイクルまでの範囲にする請求項１記載の鉛蓄電池の充電方法。
【請求項３】
充放電サイクルの初期段階での放電電気量に対する充電電気量の割合は一定にする請求項１記載の鉛蓄電池の充電方法。
【請求項４】
充放電サイクルの初期段階での放電電気量に対する充電電気量の割合を段階的に減少させる請求項１記載の鉛蓄電池の充電方法。
【請求項５】
充放電サイクルの初期段階での放電電気量に対する充電電気量の割合を連続的に減少させる請求項１記載の鉛蓄電池の充電方法。
【発明の詳細な説明】
【０００１】
【発明の属する技術分野】
本発明は、充放電を繰り返して使用される鉛蓄電池、いわゆるサイクル使用される鉛蓄電池を充電する方法の技術に関するものである。
【０００２】
【従来の技術】
鉛蓄電池の充電をする場合、鉛蓄電池のサイクル寿命、放電容量を充分に発揮させるには、過不足なく適性な電気量が充電されることが必要てあり、従来の鉛蓄電池の充電方法においては、適正な電気量が充電されるようにするために、放電電気量を算出して充電電気量を推定したり、充電過程で一定の電圧値になるまでの充電電気量を算出して放電電気量を推定したりすることにより充電電気量を求めて充電していた。
【０００３】
【発明が解決しようとする課題】
従来の鉛蓄電池の充電方法にあっては、以下に説明するような問題点を有していた。
【０００４】
充分な放電容量が得られるようにするには、充電電気量が多めになるように設定した条件で鉛蓄電池を充電すれば良いが、充電電気量が多めに設定された鉛蓄電池は充放電サイクルを繰り返し継続して使用すると、電解液が枯渇したり、活物質が劣化したり、活物質を保持する格子体が劣化したりして放電容量の低下が著しくなり、また、寿命特性が悪くなるという問題点があった。そこで、充電電気量を少なめに設定した条件で充電すると、鉛蓄電池の寿命特性は良くなるが、放電容量が抑制されるという問題点が新たに発生する。
【０００５】
本発明は、鉛蓄電池の寿命特性および放電容量の両者を向上させることができる充電方法を提供することを目的としている。
【０００６】
【課題を解決するための手段】
上記問題点を解決するために、本発明の鉛蓄電池の充電方法においては、充放電サイクルの初期段階とそれ以降の段階とでは異なる電気量により充電し、初期段階での放電電気量に対する充電電気量の割合は高くし、初期段階以降の段階での放電電気量に対する充電電気量の割合は低くすることとしている。
【０００７】
そして、このようにすることにより、高い放電容量を引き出すことができ、優れた寿命特性を長く維持することができる。
【０００８】
【発明の実施の形態】
本発明の鉛蓄電池の充電方法にあっては、各請求項に記載したような形態で実施することができ、以下にその構成に作用効果を併記して説明する。
【０００９】
請求項１に記載のように、充放電サイクルの初期段階とそれ以降の段階とでは異なる電気量により充電し、放電電気量に対する充電電気量の割合を、初期段階ではそれ以降の段階よりも大きくするものである。
【００１０】
充放電サイクルの初期段階での鉛蓄電池の放電容量が、その電池の最大放電容量よりも少ないめであると、初期段階での放電電気量に対する充電電気量の割合が高くなって好ましい。充放電サイクルの初期段階での放電容量は、最大放電容量に対する割合、いわゆる放電深度が０．８０〜０．９８（８０〜８９％）になるようにすると、放電電気量に対する充電電気量が高くなって効果的である。
【００１１】
そして、充放電サイクルの初期段階では、最大放電容量よりも少ないめの放電容量にし、放電電気量に対する充電電気量の割合を高くして充電量を多いめにすることにより、高い放電容量を維持することができ、また、初期段階以降の段階での放電電気量に対する充電電気量の割合を低くして充電量を少なめにすることにより、寿命特性を向上させることができる。
【００１２】
また、請求項２に記載のように、充放電サイクルの初期段階としては、１サイクルから５〜２００サイクルの範囲の所定サイクル値まで、すなわち、最小が１〜５サイクルで最大が１〜２００サイクルの範囲までが好ましく、効果的である。
【００１３】
また、充放電サイクルの初期段階での放電電気量に対する充電電気量の割合は、請求項３に記載のように、１サイクルから最終サイクルまで所定の一定値にしたり、請求項４に記載のように段階的に減少させたり、請求項５に記載のように、連続的に減少させたりすることができるが、初期段階でも段階的もしくは連続的に減少させて低下させるようにすると、長寿命化を図る点からは効果的である。
【００１４】
さらに、請求項６に記載のように、充放電サイクルの初期段階での放電電気量に対する充電電気量の割合は、高い放電容量を引き出すことを考慮すると、１．１５〜１．３０の範囲の所定値とするのが好ましく、また、初期段階以降の段階での放電電気量に対する充電電気量の割合は、寿命特性を向上させることを考慮すると、１．００〜１．１５の範囲の所定値とするのが好ましい。そして、前者の割合が後者の割合よりも大きくなるようにすると、放電容量を向上させ、寿命特性の低下を阻止することができる。
【００１５】
【実施例】
その実施例について、図１ないし図４を参照して詳述する。なお、図１は放電電気量に対する充電電気量の割合とサイクル数との関係を説明する図、図２は実施例におけるサイクル寿命特性を説明する図、図３は放電電気量に対する充電電気量の割合とサイクル数との関係の他の例を説明する図、図４は放電電気量に対する充電電気量の割合とサイクル数との関係の別の例を説明する図を示している。
【００１６】
充放電サイクル試験では、図１に示すように、充放電サイクルの初期段階、すなわち１サイクルより５〜２００サイクルの範囲で設定した所定サイクル値までの段階では、放電電気量に対する充電電気量の割合が、１．１５〜１．３０の範囲で設定した所定値になるように制御し、前記所定サイクル値以降の段階では、放電電気量に対する充電電気量の割合が、前記の初期段階よりは低い１．００〜１．１５の範囲で設定した所定値になるように制御している。
【００１７】
実施例による充放電サイクル試験は、電圧１２Ｖ、定格電気容量６０Ａｈの密閉型鉛蓄電池を用い、試験は温度２５℃で行い、以下に説明するａ、ｂ、ｃの条件で充電し、２０Ａ定電流で放電深度８０％の条件で放電した。そして、ａの場合は、放電電気量に対する充電電気量の割合を、５０サイクルまでは１．２５（１２５％）、５０サイクル以降は１．１０（１１０％）と多めに減少させたもの（実施例）、ｂの場合は、放電電気量に対する充電電気量の割合を、５０サイクルまでは１．１５（１１５％）、５０サイクル以降は１．１０（１１０％）と少なめに減少させたもの（実施例）、ｃの場合は、放電電気量に対する充電電気量の割合を、５０サイクルまでは１．２５（１２５％）、５０サイクル以降も１．２５（１２５％）と変化させないもの（比較例）である。また、サイクル寿命特性は、５０サイクル毎に２０Ａ定電流で９．９Ｖまで放電して容量を測定し、そのサイクルにおける初期の放電容量に対する容量の変化率（％）として求めた。この結果は、図２に示す通りである。
【００１８】
図２より、ａの場合は、充放電サイクルの初期段階で引きだした高い放電容量を５０サイクル以降も維持し、サイクル寿命も長く維持しており、また、ｂの場合は、５０サイクルまでの放電電気量に対する充電電気量の割合がａの場合に比べて低いので、放電容量も低めに維持されているが、充分な寿命特性を有しており、ｃの場合は、５０サイクルまでの放電電気量に対する充電電気量の割合を高くして充電量を多くしているので、高い放電容量を引き出しているが、５０サイクル以降もその多い充電量で推移させているので、電解液が枯渇し、活物質および格子体が劣化して放電容量の低下が著しくなり、寿命特性も極端に短くなっていることが分かる。
【００１９】
なお、ａの場合、電解液の比重を高めにし、充放電サイクルの初期段階での放電電気量に対する充電電気量の割合を高くして充電量を多くし、初期段階以降の段階での充電量を低めに設定すると、鉛蓄電池が劣化することなく、高い放電容量を寿命末期まで維持できることを確認している。また、ｂの場合は、充放電サイクルの初期段階での放電電気量に対する充電電気量の割合が低く、充電量が多くないので、電解液の比重は低めにするのが好ましい。
【００２０】
さらに、以上では、充放電サイクルの初期段階、すなわち１サイクルより５〜２００サイクルの範囲で設定した所定サイクル値までの段階では、放電電気量に対する充電電気量の割合を、１．１５〜１．３０の範囲で設定した所定値を一定に維持させる場合について説明したが、放電電気量に対する充電電気量の割合は１．１５〜１．３０の範囲内で、図３に示すように段階的で不連続に減少させたり、図４に示すように傾斜状に連続させて減少させたりすることができ、このように充放電サイクルの初期段階からそれ以降の段階へ移行する際の充電量の変化を少なくすると、寿命特性がさらに向上して効果的となる。
【００２１】
【発明の効果】
本発明は、以上説明したような形態で実施され、以下に記載されるような効果を奏する。
【００２２】
充放電サイクルの初期段階での放電電気量に対する充電電気量の割合を、初期段階以降の段階での放電電気量に対する充電電気量の割合よりも高くすることにより、放電容量を向上させ、優れた寿命特性を維持させることができる。
【図面の簡単な説明】
【図１】本発明の実施例における放電電気量に対する充電電気量の割合とサイクル数との関係を説明する図
【図２】同実施例におけるサイクル寿命特性を説明する図
【図３】放電電気量に対する充電電気量の割合とサイクル数との関係の他の例を説明する図
【図４】放電電気量に対する充電電気量の割合とサイクル数との関係の別の例を説明する図
【符号の説明】
ａ  実施例による放電容量の変化を示す線図
ｂ  他の実施例による放電容量の変化を示す線図
ｃ  比較例による放電容量の変化を示す線図
【図１】
0004411729.tif 000002
【図２】
0004411729.tif 000003
【図３】
0004411729.tif 000004
【図４】
0004411729.tif 000005